(57)【要約】【課題】  室内空気の汚染状態に応じて換気運転又は空気清浄運転を行うことを可能にした空気清浄システム及びその制御方法を提供する。【解決手段】  換気ユニットと、空気清浄ユニットと、室内空気の汚染濃度を感知するためのセンサと、前記センサによって感知された室内空気の汚染濃度に応じて複数の運転モードのいずれか一つを決定し、決定された運転モードにしたがって前記換気ユニット及び前記空気清浄ユニットを制御するコントローラとを含む。【選択図】      図１
2005043035.tif 000002
【特許請求の範囲】
【請求項１】
換気ユニットと、空気清浄ユニットと、室内空気の汚染濃度を感知するためのセンサと、上記センサによって感知された室内空気の汚染濃度に応じて複数の運転モードのいずれか一つを決定し、決定された運転モードにしたがって前記換気ユニット及び前記空気清浄ユニットを制御するコントローラとを含むことを特徴とする空気清浄システム。
【請求項２】
前記センサは室内の二酸化炭素の濃度を感知するためのガスセンサであることを特徴とする請求項１記載の空気清浄システム。
【請求項３】
前記センサは室内の粉塵の濃度を感知するための粉塵センサであることを特徴とする請求項１記載の空気清浄システム。
【請求項４】
前記コントローラは、室内空気の汚染濃度が第１設定値以上であれば、換気モードを行い、前記換気モードの遂行によって室内空気の汚染濃度が前記第１設定値より小さい第２設定値以下に減少すれば、前記空気清浄モードを行うことを特徴とする請求項１記載の空気清浄システム。
【請求項５】
前記コントローラは、室内空気の汚染濃度が第３設定値以上であれば、空気清浄モードを行い、前記空気清浄モードの遂行によって室内空気の汚染濃度が前記第３設定値より小さい第４設定値以下に減少すれば、前記換気モードを行うことを特徴とする請求項１記載の空気清浄システム。
【請求項６】
前記コントローラは、前記空気清浄モード中、室内空気の汚染濃度が前記第２設定値より小さい第５設定値以下に減少すると、前記換気ユニット及び前記空気清浄ユニットの作動を停止させ、待機する停止モードに切り換えることを特徴とする請求項４記載の空気清浄システム。
【請求項７】
前記コントローラは、前記換気モード中、室内空気の汚染濃度が前記第４設定値より小さい第６設定値以下に減少すると、前記換気ユニット及び前記空気清浄ユニットの作動を停止させ、待機する停止モードに切り換えることを特徴とする請求項５記載の空気清浄システム。
【請求項８】
前記コントローラは、室内空気の汚染濃度が所定の範囲内で変化する場合、現在の運転モードを維持することを特徴とする請求項１記載の空気清浄システム。
【請求項９】
前記換気ユニットは、汚染した室内空気を室外に排出させ、新鮮な室外空気を室内に供給するための構成要素を含むことを特徴とする請求項１記載の空気清浄システム。
【請求項１０】
前記換気ユニットは、室内空気を排出するための排気流路と、室外空気を室内に供給するための給気流路と、室内空気と室外空気との熱交換を行うための伝熱交換機と、前記排気流路上に設置された排気ファン用モータ及び排気ファンと、室外空気を流入するためのダクトに設置され、当該運転モードに応じて開閉動作を行うダンパーモータ及びモード切換ダンパーと、前記給気流路上に設置された給気ファン用モータ及び給気ファンとを含むことを特徴とする請求項９記載の空気清浄システム。
【請求項１１】
前記換気ユニットは、前記モード切換ダンパーと前記伝熱交換機との間に設けられる異物濾過用フィルタをさらに含むことを特徴とする請求項１０記載の空気清浄システム。
【請求項１２】
前記空気清浄ユニットは、室内空気に含有された粉塵、細菌及び汚染物質を濾過し、浄化された清浄な空気を供給するための構成要素を含むことを特徴とする請求項１記載の空気清浄システム。
【請求項１３】
前記空気清浄ユニットは、給気流路と、前後方に進退可能に設けられ、室内給気を吸入するための吸入口を開閉する吸入口開閉ダンパーと、前記吸入口開閉ダンパーの後方に設置される脱臭／殺菌フィルタと、前記給気流路上に設置され、前記吸入口から吸入されて前記脱臭／殺菌フィルタによって浄化された清浄な空気を室内に供給するための吸入力を発生するための給気ファン用モータ及び給気ファンとを含むことを特徴とする請求項１２記載の空気清浄システム。
【請求項１４】
複数の運転モードを行うための空気清浄システムの制御方法において、
センサを用いて室内空気の汚染濃度を感知し、感知された室内空気の汚染濃度に応じて前記複数の運転モードのいずれか一つを決定し、決定された運転モードにしたがって空気清浄ユニット又は換気ユニットの作動を制御する１次運転を含むことを特徴とする空気清浄システムの制御方法。
【請求項１５】
前記１次運転によって室内空気の汚染濃度が１次的に減少すると、決定されていない他の運転モードにしたがって前記空気清浄ユニット又は前記換気ユニットの作動を制御する２次運転をさらに含むことを特徴とする請求項１４記載の空気清浄システムの制御方法。
【請求項１６】
前記２次運転によって室内空気の汚染濃度が２次的に減少すると、停止モードに切り換える３次運転をさらに含むことを特徴とする請求項１５記載の空気清浄システムの制御方法。
【請求項１７】
前記停止モードは、前記空気清浄ユニット及び換気ユニットの作動を停止させて待機することを特徴とする請求項１６記載の空気清浄システムの制御方法。
【請求項１８】
前記１次運転中、室内空気の汚染濃度が所定の範囲内で変化する場合、現在の運転モードを維持することを特徴とする請求項１４記載の空気清浄システムの制御方法。
【請求項１９】
前記センサは室内の二酸化炭素の濃度を感知することが可能なガスセンサであることを特徴とする請求項１４記載の空気清浄システムの制御方法。
【請求項２０】
前記センサは室内の粉塵の濃度を感知することが可能な粉塵センサであることを特徴とする請求項１４記載の空気清浄システムの制御方法。
【発明の詳細な説明】
【技術分野】
【０００１】
本発明は、空気清浄と換気を両方とも行うことが可能な空気清浄システム及びその制御方法に関するものである。
【背景技術】
【０００２】
空気清浄システムは、空気中の粉塵、細菌、汚染物質などを濾し、浄化された清浄な空気を供給するための空気清浄ユニットを備える。
【０００３】
空気清浄システムの使用中には室内空気を浄化するために室内を密閉するが、これにより人間の呼吸によって発生する二酸化炭素などから室内空気が汚染する。
【０００４】
これを勘案して、室内空気を室外に排出させ、新鮮な室外空気を吸入して室内を換気させるための換気ユニットを備えた空気清浄システムが提案されている。
【０００５】
このような空気清浄システムでは、空気清浄機能と換気機能をユーザが直接設定する方式と、室内の汚染状態を検出するためのセンサを用いて当該機能を設定する方式とに区分する。
【０００６】
前者の方式は、ユーザが所望の機能を設定することができるが、ユーザの不注意で室内の汚染状態に関係なく不適切な機能を設定するおそれがあり、しかも直接操作しなければならないので不便であるという欠点がある。
【０００７】
後者の方式は、空気清浄運転の実行のために室内空気中のガスの濃度を検出するガスセンサと、換気運転の実行のために室内空気中の粉塵の濃度を検出するための粉塵センサとを備え、これらのセンサによって当該機能を行うようにしている。ところが、換気モードで運転する途中、粉塵センサに応えて空気清浄運転が行われることにより、室内を充分換気させていない状態で換気運転が中断する場合が発生する。また、空気清浄モードで運転する途中、ガスセンサに応えて換気運転が行われることにより、室内の粉塵を綺麗に浄化していない状態で空気清浄運転が中断する場合が発生する。結局、当該運転モードを円滑に行うことができなかった。
【０００８】
一方、既存の空気清浄システムでは、ユーザが運転停止命令を直接入力せず外に出かける場合の如く室内に在室者が無い場合にも空気清浄システムが無駄に作動することにより、消費電力が浪費されるという問題があった。
【発明の開示】
【発明が解決しようとする課題】
【０００９】
本発明の目的は、室内空気の汚染状態に応じて換気運転又は空気清浄運転を行うことを可能にした空気清浄システム及びその制御方法を提供することにある。
【課題を解決するための手段】
【００１０】
上記目的を達成するための本発明は、換気ユニットと、空気清浄ユニットと、室内空気の汚染濃度を感知するためのセンサと、前記センサによって感知された室内空気の汚染濃度に応じて複数の運転モードのいずれか一つを決定し、決定された運転モードにしたがって前記換気ユニット及び前記空気清浄ユニットを制御するコントローラとを含むことを特徴とする。
【００１１】
前記センサは室内の二酸化炭素の濃度を感知するためのガスセンサである。
【００１２】
前記センサは室内の粉塵の濃度を感知するための粉塵センサである。
【００１３】
前記コントローラは、室内空気の汚染濃度が第１設定値以上であれば、換気モードを行い、前記換気モードの遂行によって室内空気の汚染濃度が前記第１設定値より小さい第２設定値以下に減少すれば、前記空気清浄モードを行う。
【００１４】
前記コントローラは、室内空気の汚染濃度が第３設定値以上であれば、空気清浄モードを行い、前記空気清浄モードの遂行によって室内空気の汚染濃度が前記第３設定値より小さい第４設定値以下に減少すれば、前記換気モードを行う。
【００１５】
前記コントローラは、前記空気清浄モード中、室内空気の汚染濃度が前記第２設定値より小さい第５設定値以下に減少すると、前記換気ユニット及び前記空気清浄ユニットの作動を停止させ、待機する停止モードに切り換える。
【００１６】
前記コントローラは、前記換気モード中、室内空気の汚染濃度が前記第４設定値より小さい第６設定値以下に減少すると、前記換気ユニット及び前記空気清浄ユニットの作動を停止させ、待機する停止モードに切り換える。
【００１７】
前記コントローラは、室内空気の汚染濃度が所定の範囲内で変化する場合、現在の運転モードを維持する。
【００１８】
前記換気ユニットは、汚染した室内空気を室外に排出させ、新鮮な室外空気を室内に供給するための構成要素を含む。
【００１９】
前記換気ユニットは、室内空気を排出するための排気流路と、室外空気を室内に供給するための給気流路と、室内空気と室外空気との熱交換を行うための伝熱交換機と、前記排気流路上に設置された排気ファン用モータ及び排気ファンと、室外空気を流入するためのダクトに設置され、当該運転モードに応じて開閉動作を行うダンパーモータ及びモード切換ダンパーと、前記給気流路上に設置された給気ファン用モータ及び給気ファンとを含む。
【００２０】
前記換気ユニットは、前記モード切換ダンパーと前記伝熱交換機との間に設けられる異物濾過用フィルタをさらに含む。
【００２１】
前記空気清浄ユニットは、室内空気に含有された粉塵、細菌及び汚染物質を濾過し、浄化された清浄な空気を供給するための構成要素を含む。
【００２２】
前記空気清浄ユニットは、給気流路と、前後方に進退可能に設けられ、室内給気を吸入するための吸入口を開閉する吸入口開閉ダンパーと、前記吸入口開閉ダンパーの後方に設置される脱臭／殺菌フィルタと、前記給気流路上に設置され、前記吸入口から吸入されて前記脱臭／殺菌フィルタによって浄化された清浄な空気を室内へ供給するための吸入力を発生するための給気ファン用モータ及び給気ファンとを含む。
【００２３】
上記目的を達成するための本発明は、複数の運転モードを行うための空気清浄システムの制御方法において、センサを用いて室内空気の汚染濃度を感知し、感知された室内空気の汚染濃度に応じて前記複数の運転モードのいずれか一つを決定し、決定された運転モードにしたがって空気清浄ユニット又は換気ユニットの作動を制御する１次運転を含むことを特徴とする。
【００２４】
前記１次運転によって室内空気の汚染濃度が１次的に減少すると、決定されていない他の運転モードにしたがって前記空気清浄ユニット又は前記換気ユニットの作動を制御する２次運転をさらに含む。
【００２５】
前記２次運転によって室内空気の汚染濃度が２次滴に減少すると、停止モードに切り換える３次運転をさらに含む。
【００２６】
前記停止モードは、前記空気清浄ユニット及び換気ユニットの作動を停止させて待機することである。
【００２７】
前記１次運転中、室内空気の汚染濃度が所定の範囲内で変化する場合、現在の運転モードを維持する。
【００２８】
前記センサは室内の二酸化炭素の濃度を感知することが可能なガスセンサである。
【００２９】
前記センサは室内の粉塵の濃度を感知することが可能な粉塵センサである。
【発明の効果】
【００３０】
本発明によれば、室内空気の汚染濃度に応じて複数の運転モードのいずれか一つを決定し、決定された運転モードを行う途中、室内空気の汚染濃度に応じて他の運転モードに切り換えることができるため、室内空間に新鮮な空気を常時供給することができるとともに、室内空気の粉塵を除去して室内空気を綺麗に保つことができるなど、当該運転モードを円滑に行うことができる。また、本発明は、在室者がない場合には無駄な運転を防止することにより、消費電力を低減することができる。
【発明を実施するための最良の形態】
【００３１】
以下、本発明に係る好適な実施例を添付図に基づいて詳細に説明する。
【００３２】
図１は本発明に係る空気清浄システムが換気モードで運転する場合を示す図である。図２は本発明に係る空気清浄システムが空気清浄モードで運転する場合を示す図である。
【００３３】
本発明に係る空気清浄システムは、室内と室外とを区画するための隔壁に固着される本体１０を備える。本体１０は、その内部に換気ユニットと空気清浄ユニットを含む。ここで、換気ユニットは人間の呼吸によって発生する二酸化炭素などから室内空気が汚染しないように室内空気を室外へ排出し、新鮮な室外空気を吸入して室内を換気させるための構成要素を総称するもので、空気清浄ユニットは空気中の粉塵や細菌、汚染物質などを濾し、浄化された清浄な空気を供給するための構成要素を総称するものである。
【００３４】
本体の内部に室内空気を排出するための排気流路１２、室外空気を室内に供給するための給気流路１４、及び排気流路から排気される室内空気と給気流路から室内に供給される室外空気との熱交換を行うための伝熱交換機１６が設けられる。
【００３５】
本体の前面上方に上部ブレード１１が設置され、その後方に排気ファン用モータ１８と、モータ軸１９を介してモータ１８に連結される排気ファン２０とが設置される。上部ブレードは常時開放され、排気ファン２０によって排気口１３から室内空気が室外へ排出できる状態を保つ。すなわち、排気ファン２０が回転すると、吸入力が発生することにより、室内空気は排気流路１２上に設置された伝熱交換機１６を通過した後室外へ排出される。
【００３６】
室外側に隣接した空気ダクト２９の内部にモード切換ダンパー１５が開閉可能に設置され、このモード切換ダンパー１５は後述のコントローラによって制御されるダンパーモータを含む。
【００３７】
このモード切換ダンパー１５は、換気モードで開放され、空気清浄モードで閉鎖される。モード切換ダンパーと伝熱交換機との間に異物濾過用フィルタ１７が設けられ、異物濾過用フィルタ１７は換気モードで室外空気中の異物を除去する。
【００３８】
本体の前面下方に下部ブレード２３が設置され、下部ブレードの前方には吸入口開閉ダンパー２２が設けられ、下部ブレードの後方には室内空気の粉塵を集塵し且つ殺菌する脱臭／殺菌フィルタ２４が設けられる。
【００３９】
吸入口開閉ダンパー２２は後述のコントローラによってダンパーモータを含み、このダンパーモータによって前後方に進退可能に設けられるが、空気清浄モードで前方向に進むにつれてそのダンパーの四方辺部とブレードとが離れることにより吸入口が形成される一方、換気モードで下部ブレードに密着して吸入口を閉鎖させる。
【００４０】
また、脱臭／殺菌フィルタ２４の後方に給気ファン用モータ２５と、モータ軸２６を介して給気ファン用モータ２５に連結される給気ファン２７とが設置される。換気モードで給気ファン２７が回転すると、吸入力が発生し、モード切換ダンパー１５が開放されることにより、新鮮な室外空気は、図１に示すように、異物濾過用フィルタ１７と伝熱交換機１６を順次経た後、給気流路１４の下方に設けられた給気口２８から室内空間へ供給される。空気清浄モードで給気ファン２７が回転すると、吸入力が発生するが、モード切換ダンパー１５が閉鎖され、吸入口開閉ダンパー２２が前方に進んで吸入口を開放することにより、汚染した室内空気は、図２に示すように、脱臭／殺菌フィルタ２４を経て有害粉塵が集塵すると共に脱臭及び殺菌され、綺麗に浄化された清浄な空気を給気口２８から室内空間へ供給する。
【００４１】
一方、本体１０の内部には、室内空気の汚染濃度を感知するための室内汚染感知センサ２１が設けられる。この室内汚染感知センサ２１は室内の二酸化炭素の濃度を感知するためのガスセンサである。
【００４２】
図３は本発明に係る空気清浄システムの制御ブロック図である。
【００４３】
本発明は、空気清浄システムの全般的な動作を制御するコントローラ３０を備える。コントローラの入力端には室内空気の二酸化炭素の濃度を検出するための室内汚染感知センサ２１が連結され、コントローラの出力端には排気ファン用モータ１８と給気ファン用モータ２５を駆動するためのファン駆動部３１、及びモード切換ダンパー１５と吸入口開閉ダンパー２２を駆動するためのダンパー駆動部３２が連結される。
【００４４】
コントローラ３０は、室内汚染感知センサ２１によって感知された二酸化炭素の濃度に応じて換気モード又は空気清浄モードを行うために換気ユニット又は空気清浄ユニットを制御する。
【００４５】
次に、このような構成を持つ本発明に係る空気清浄システムの制御方法を添付図に基づいて説明する。
【００４６】
図４は本発明に係る空気清浄システムが当該運転モードを行う動作を説明するための図、図５は本発明に係る空気清浄システムの制御方法を説明するためのフローチャートである。
【００４７】
センサ２１によって室内の二酸化炭素の濃度Ｖを感知し（４０）、感知した室内の二酸化炭素の濃度Ｖが第１設定値Ｖ１以上であるか否かを判断し（４２）、第１設定値以上であれば、コントローラ３０は換気モードを行う（４３）。ここで、第１設定値Ｖ１は多数の試験によって設定することが好ましく、本実施例では１０００〜１５００ｐｐｍの範囲で設定する。
【００４８】
換気モードにおける運転動作を具体的に説明する。図１に示すように、コントローラ３０は、排気ファン用モータ１８を駆動して排気ファン２０を回転させるとともに給気ファン用モータ２５を駆動して給気ファン２７を回転させる一方、モード切換ダンパー１５を開放させる。この際、吸入口開閉ダンパー２２は閉鎖される。排気ファン２０の回転によって発生した吸入力により、室内空気は排気口を経た後伝熱交換機１６を通過し、給気ファン２７の回転によって発生した吸入力により空気ダクト２９の内部に流入する室外空気は異物濾過用フィルタ１７と伝熱交換機１６を通過する。伝熱交換機１６で熱交換された室内空気は室外に排出され、新鮮な室外空気は給気口２８から室内空間に供給される。
【００４９】
換気モードを行う途中、センサ２１によって感知された室内の二酸化炭素の濃度Ｖが第１設定値Ｖ１より低くなる場合、すなわち感知した室内の二酸化炭素の濃度Ｖが第１設定値Ｖ１より小さくて第２設定値Ｖ２より大きい範囲にあるかを判断し（４４）、大きい範囲にあれば、現在の運転モードを維持する（４５）。これは室内の二酸化炭素の濃度変化に応じて頻繁に運転モードが変更されることを防止するためである。第２設定値Ｖ２は第１設定値Ｖ１より小さい。
【００５０】
換気モードが持続的に行われることにより、センサ２１によって感知した室内の二酸化炭素の濃度Ｖが第１設定値Ｖ１より低い第２設定値Ｖ２以下であるか否かを判断し（４６）、その以下であれば、コントローラ３０は空気清浄モードを行う（４７）。
【００５１】
次に、空気清浄モードにおける運転動作を具体的に説明する。図２に示すように、コントローラ３０は、給気ファン用モータ２５を駆動して給気ファン２７を回転させると共に吸入口開閉ダンパー２２を前方向に進ませて吸入口を開放する。この際、排気ファン用モータ１８は停止させ、モード切換ダンパー１５は閉鎖させる。給気ファン２７の回転によって発生した吸入力により吸入された室内空気は、脱臭／殺菌フィルタ２４を経て粉塵が集塵されると共に脱臭及び殺菌された後綺麗に浄化され、浄化された空気は給気口２８から室内空間に供給される。
【００５２】
空気清浄モード中、センサ２１によって感知した室内の二酸化炭素の濃度Ｖが第２設定値Ｖ２より低くなる場合、すなわち感知した室内の二酸化炭素の濃度Ｖが第２設定値Ｖ２より小さくて第３設定値Ｖ３より大きい範囲にあるかを判断し（５０）、大きい範囲にあれば、現在の運転モードである空気清浄モードを維持する（５１）。空気清浄モード中、感知した室内の二酸化炭素の濃度Ｖが第１設定値Ｖ１より小さくて第２設定値Ｖ２より大きい範囲にあるかを判断し（４１）、大きい範囲にあれば、現在の運転モード、すなわち空気清浄モードを維持する（４５）。第３設定値Ｖ３は第２設定値Ｖ２より小さい。
【００５３】
室内空間に居住する人間が増加する場合のような理由により、室内空気中の二酸化炭素の濃度が高くなると、すなわち換気運転の要求がある場合、センサ２１によって感知した二酸化炭素の濃度Ｖが第１設定値Ｖ１以上であれば、コントローラ３０は前述した換気モードを行う。
【００５４】
一方、空気清浄モード中、室内空間に居住する人間がない場合（Ｄ参照）のような理由により、室内の二酸化炭素の濃度Ｖが第２設定値Ｖ２より低い第３設定値Ｖ３以下であるか否かを判断し（４８）、その以下であれば、コントローラ３０は空気清浄システムの無駄な駆動を防止するために停止モードを行う（４９）。
【００５５】
次に、停止モードにおける運転動作を具体的に説明する。停止モードでは、コントローラ３０が排気ファン用モータ１８及び給気ファン用モータ２５を両方とも駆動せず、且つモード切換ダンパー１５と吸入口開閉ダンパー２２を両方とも閉鎖させる。すなわち、停止モードは無駄な駆動による消費電力を防止するためにモータなどを停止させ、センサ２１の検出に応じて当該運転モードを行うために待機する状態を意味し、この待機状態で人間が室内に入って室内空間の二酸化炭素の濃度が高くなると、感知された室内空気の汚染濃度に応じて当該運転モードを行う。
【００５６】
前記動作（４３、４５、５１）のように当該運転モードを行う途中、コントローラ３０は、運転停止命令が入力されたか否かを判断し（５２）、運転停止命令が入力されていない場合、運転を行い続けるために動作４０へ進み、運転停止命令が入力された場合、操作パネルによるディスプレイ動作を含めて各構成部に供給される全ての駆動電源を遮断して空気清浄システムを停止する（５３）。
【００５７】
このように、コントローラは室内汚染感知センサ２１から感知される室内の二酸化炭素の濃度に応じて換気モード、空気清浄モード及び停止モードのいずれか一つを決定し、決定された運転モードに応じて空気清浄システムを運転する。
【００５８】
上述した実施例では、室内汚染感知センサとして二酸化炭素の濃度を感知するためのガスセンサを採用したが、これに限定されるものではなく、室内の粉塵の濃度を感知するための粉塵センサを使用し、この粉塵センサによって感知された室内の粉塵の濃度に応じて空気清浄運転又は換気運転を行う方式を適用することができ、これに対する具体的な説明が無くても、この技術分野の通常の知識を有する者であれば容易に理解できよう。
【図面の簡単な説明】
【００５９】
【図１】本発明に係る空気清浄システムが換気モードで運転する場合を示す図である。
【図２】本発明に係る空気清浄システムが空気清浄モードで運転する場合を示す図である。
【図３】本発明に係る空気清浄システムの制御ブロック図である。
【図４】本発明に係る空気清浄システムが当該運転モードを行う動作を説明するための図である。
【図５】本発明に係る空気清浄システムの制御方法を説明するためのフローチャートである。
【符号の説明】
【００６０】
１０  本体
１１  上部ブレード
１２  排気流路
１３  排気口
１４  給気流路
１５  モード切換ダンパー
１６  伝熱交換機
１７  異物濾過用フィルタ
１８  排気ファン用モータ
１９、２６  モータ軸
２０  排気ファン
２１  室内汚染感知センサ
２２  吸入口開閉ダンパー
２３  下部ブレード
２４  脱臭／殺菌フィルタ
２５  給気ファン用モータ
２７  給気ファン
２８  給気口
２９  空気ダクト
３０  コントローラ
３１  ファン駆動部
３２  ダンパー駆動部
【図１】
2005043035.tif 000003
【図２】
2005043035.tif 000004
【図３】
2005043035.tif 000005
【図４】
2005043035.tif 000006
【図５】
2005043035.tif 000007